(57)【要約】【課題】搭乗者が休憩等のために長時間に亘り車両から降車したことにより、予約されたコンテンツを視聴し逃すのを回避する。【解決手段】コンテンツ再生装置１００は、車両１用のコンテンツ再生装置１００であって、音声情報又は映像情報のうちの少なくとも一方のコンテンツを再生するコンテンツ再生部２３と、現在時刻を示す情報を出力する時刻出力部２５と、現在時刻以後の第１時刻と、第１時刻にてコンテンツ再生部２３が再生開始予定の第１コンテンツとを含む予約を受け付ける予約受付部２６と、現在時刻が第１時刻と第１時刻よりも前の第２時刻との間の時刻である場合、車両１に設けられた変速機がＰレンジに設定されたとき、予約の内容を示す予約案内画像を表示装置１１に表示させる処理、又は予約の内容を示す予約案内音声を音声出力装置１３に出力させる処理を実行する予約案内部２７とを備える。【選択図】図１
2017217998.tif 000002
【特許請求の範囲】
【請求項１】
車両用のコンテンツ再生装置であって、
音声情報又は映像情報のうちの少なくとも一方のコンテンツを再生するコンテンツ再生部と、
現在時刻を示す情報を出力する時刻出力部と、
前記現在時刻以後の第１時刻と、前記第１時刻にて前記コンテンツ再生部が再生開始予定の第１コンテンツとを含む予約を受け付ける予約受付部と、
前記現在時刻が前記第１時刻と前記第１時刻よりも前の第２時刻との間の時刻である場合、前記車両に設けられた変速機がパーキングレンジに設定されたとき、前記予約の内容を示す予約案内画像を表示装置に表示させる処理、又は前記予約の内容を示す予約案内音声を音声出力装置に出力させる処理を実行する予約案内部と、
を備えることを特徴とするコンテンツ再生装置。
【請求項２】
前記コンテンツ再生部による再生対象となる前記コンテンツを選択自在な選択画面を前記表示装置に表示させるコンテンツ選択部を備え、
前記予約受付部は、前記選択画面に表示された前記コンテンツに対して、当該コンテンツを選択する操作と異なる非選択操作が操作入力装置に入力されたとき、初期状態にて当該コンテンツが前記第１コンテンツに設定され、かつ、前記初期状態にて前記現在時刻と同じ時刻が前記第１時刻に設定された予約受付画面を前記表示装置に表示させる
ことを特徴とする請求項１記載のコンテンツ再生装置。
【請求項３】
前記非選択操作は、前記コンテンツに対する長押し操作に設定されていることを特徴とする請求項２記載のコンテンツ再生装置。
【請求項４】
前記予約受付画面における前記第１時刻は前記操作入力装置の操作により変更自在であり、かつ、前記予約受付画面における前記第１コンテンツは前記操作入力装置の操作により変更自在であることを特徴とする請求項２又は請求項３記載のコンテンツ再生装置。
【請求項５】
前記コンテンツ再生部は、前記第１時刻にて前記第１コンテンツと異なる第２コンテンツを再生中である場合、前記第１コンテンツと前記第２コンテンツとが重畳された重畳コンテンツの再生を開始することを特徴とする請求項１から請求項４のうちのいずれか１項記載のコンテンツ再生装置。
【請求項６】
前記コンテンツ再生部は、前記重畳コンテンツの再生中、前記重畳コンテンツにおける前記第２コンテンツの比率を時間経過により次第に小さくすることを特徴とする請求項５記載のコンテンツ再生装置。
【請求項７】
前記コンテンツ再生部は、前記重畳コンテンツの再生が終了したとき、前記第１コンテンツの再生に移行することを特徴とする請求項６記載のコンテンツ再生装置。
【請求項８】
前記コンテンツ再生部は、前記第１コンテンツの再生が終了したとき、前記第２コンテンツの再生を再開することを特徴とする請求項７記載のコンテンツ再生装置。
【請求項９】
前記コンテンツ再生部は、前記音声情報の前記コンテンツを再生するものであることを特徴とする請求項１から請求項８のうちのいずれか１項記載のコンテンツ再生装置。
【請求項１０】
前記コンテンツ再生部は、ラジオ受信機及び光ディスクドライブから前記音声情報を取得することを特徴とする請求項９記載のコンテンツ再生装置。
【請求項１１】
前記車両に搭載される車載情報機器、前記車両に持ち込まれる携帯情報端末、又は前記車載情報機器若しくは前記携帯情報端末と通信自在なサーバ装置により構成されていることを特徴とする請求項１から請求項１０のうちのいずれか１項記載のコンテンツ再生装置。
【請求項１２】
車両用のコンピュータを、
音声情報又は映像情報のうちの少なくとも一方のコンテンツを再生するコンテンツ再生部と、
現在時刻を示す情報を出力する時刻出力部と、
前記現在時刻以後の第１時刻と、前記第１時刻にて前記コンテンツ再生部が再生開始予定の第１コンテンツとを含む予約を受け付ける予約受付部と、
前記現在時刻が前記第１時刻と前記第１時刻よりも前の第２時刻との間の時刻である場合、前記車両に設けられた変速機がパーキングレンジに設定されたとき、前記予約の内容を示す予約案内画像を表示装置に表示させる処理、又は前記予約の内容を示す予約案内音声を音声出力装置に出力させる処理を実行する予約案内部と、
として機能させるプログラム。
【請求項１３】
音声情報又は映像情報のうちの少なくとも一方のコンテンツを再生する車両用のコンテンツ再生装置による予約案内方法であって、
時刻出力部が、現在時刻を示す情報を出力するステップと、
予約受付部が、前記現在時刻以後の第１時刻と、前記第１時刻にて再生開始予定の第１コンテンツとを含む予約を受け付けるステップと、
予約案内部が、前記現在時刻が前記第１時刻と前記第１時刻よりも前の第２時刻との間の時刻である場合、前記車両に設けられた変速機がパーキングレンジに設定されたとき、前記予約の内容を示す予約案内画像を表示装置に表示させる処理、又は前記予約の内容を示す予約案内音声を音声出力装置に出力させる処理を実行するステップと、
を備えることを特徴とする予約案内方法。
【発明の詳細な説明】
【技術分野】
【０００１】
本発明は、車両用のコンテンツ再生装置と、このコンテンツ再生装置用のプログラムと、このコンテンツ再生装置による予約案内方法とに関する。
【背景技術】
【０００２】
従来、音声源から音声情報を取得して、この音声情報の内容（以下「音声コンテンツ」という。）を再生する装置が開発されている。また、映像源から映像情報を取得して、この映像情報の内容（以下「映像コンテンツ」という。）を再生する装置が開発されている。以下、音声源及び映像源を総称して「ソース」ということがある。また、音声コンテンツ及び映像コンテンツを総称して単に「コンテンツ」ということがある。
【０００３】
例えば、特許文献１には、ラジオ放送の放送波を受信して、ラジオ放送の音声コンテンツを再生する装置が開示されている。特許文献１の装置は、所望の時刻に、所望の放送局の音声コンテンツの再生を開始することの予約を受け付ける機能を有している。特許文献１の装置は、当該時刻に、当該放送局の音声コンテンツの再生を自動で開始するものである（特許文献１の段落［００１８］〜［００２２］、［００２９］等参照）。
【０００４】
また、特許文献２には、テレビジョン放送の放送波を受信して、テレビジョン放送の映像コンテンツを再生する装置が開示されている。特許文献２の装置は、特許文献１の装置と同様に予約を受け付ける機能を有している。特許文献２の装置は、予約された時刻よりも所定時間前の時刻にて、予約された時刻が近づいたことを示す案内音声を出力したり、予約された時刻が近づいたことを示す案内画像を表示したりするものである（特許文献２の段落［０００９］〜［００１０］、［００３９］等参照）。
【先行技術文献】
【特許文献】
【０００５】
【特許文献１】特開２００９−２５３５８７号公報
【特許文献２】特開２００３−２３７４８６号公報
【発明の概要】
【発明が解決しようとする課題】
【０００６】
特許文献２の装置は、車載用の装置において映像コンテンツの予約を受け付けるものである。特許文献２の装置による案内は、予約された時刻までに車両を停車させることを促すものであり、予約された時刻に車両が走行中であることにより予約された映像コンテンツを視聴することができないという事態を回避するためのものである（特許文献２の段落［０００９］〜［００１０］参照）。
【０００７】
しかしながら、車両の搭乗者が視聴するコンテンツには、例えば音声コンテンツのように、主として車両の走行中に視聴されるコンテンツも存在する。また、例えば当該車両にいわゆる「リアシートエンタテインメントシステム」などが搭載されている場合は、映像コンテンツであっても車両の走行中に視聴される。
【０００８】
また、例えば、高速道路の長距離運転において上記のようなコンテンツの予約がなされたものとする。一般に、高速道路の長距離運転においては、パーキングエリア又はサービスエリアでの休憩などにより、搭乗者が長時間に亘り車両から降車することがある。また、長距離運転においては、運転に集中するために現在時刻の確認を忘れやすく、コンテンツの予約をしていたことも忘れやすい。このため、搭乗者が車両から降車している間に予約された時刻となり、再び乗車するまでにコンテンツが終了してしまうなどの問題があった。
【０００９】
本発明は、上記のような課題を解決するためになされたものであり、搭乗者が休憩等のために長時間に亘り車両から降車したことにより、予約されたコンテンツを視聴し逃すのを回避することを目的とする。
【課題を解決するための手段】
【００１０】
本発明のコンテンツ再生装置は、車両用のコンテンツ再生装置であって、音声情報又は映像情報のうちの少なくとも一方のコンテンツを再生するコンテンツ再生部と、現在時刻を示す情報を出力する時刻出力部と、現在時刻以後の第１時刻と、第１時刻にてコンテンツ再生部が再生開始予定の第１コンテンツとの予約を受け付ける予約受付部と、現在時刻が第１時刻と第１時刻よりも前の第２時刻との間の時刻である場合、車両に設けられた変速機がパーキングレンジに設定されたとき、予約の内容を示す予約案内画像を表示装置に表示させる処理、又は予約の内容を示す予約案内音声を音声出力装置に出力させる処理を実行する予約案内部とを備えるものである。
【００１１】
本発明のプログラムは、車両用のコンピュータを、音声情報又は映像情報のうちの少なくとも一方のコンテンツを再生するコンテンツ再生部と、現在時刻を示す情報を出力する時刻出力部と、現在時刻以後の第１時刻と、第１時刻にてコンテンツ再生部が再生開始予定の第１コンテンツとの予約を受け付ける予約受付部と、現在時刻が第１時刻と第１時刻よりも前の第２時刻との間の時刻である場合、車両に設けられた変速機がパーキングレンジに設定されたとき、予約の内容を示す予約案内画像を表示装置に表示させる処理、又は予約の内容を示す予約案内音声を音声出力装置に出力させる処理を実行する予約案内部と、として機能させるものである。
【００１２】
本発明の予約案内方法は、音声情報又は映像情報のうちの少なくとも一方のコンテンツを再生する車両用のコンテンツ再生装置による予約案内方法であって、時刻出力部が、現在時刻を示す情報を出力するステップと、予約受付部が、現在時刻以後の第１時刻と、第１時刻にて再生開始予定の第１コンテンツとの予約を受け付けるステップと、予約案内部が、現在時刻が第１時刻と第１時刻よりも前の第２時刻との間の時刻である場合、車両に設けられた変速機がパーキングレンジに設定されたとき、予約の内容を示す予約案内画像を表示装置に表示させる処理、又は予約の内容を示す予約案内音声を音声出力装置に出力させる処理を実行するステップとを備えるものである。
【発明の効果】
【００１３】
本発明によれば、現在時刻が第１時刻と第２時刻間の時刻である場合、変速機がパーキングレンジに設定されたとき、予約案内画像を表示させる処理、又は予約案内音声を出力させる処理を実行する。これにより、搭乗者が休憩等のために長時間に亘り車両から降車したことにより、予約されたコンテンツを視聴し逃すのを回避することができる。
【図面の簡単な説明】
【００１４】
【図１】本発明の実施の形態１に係るコンテンツ再生装置の要部を示す機能ブロック図である。
【図２】本発明の実施の形態１に係る予約受付画面の一例を示す説明図である。
【図３】本発明の実施の形態１に係る予約案内画像の一例を示す説明図である。
【図４】本発明の実施の形態１に係るコンテンツ再生装置の要部を示すハードウェア構成図である。
【図５】本発明の実施の形態１に係るコンテンツ再生装置の要部を示す他のハードウェア構成図である。
【図６】本発明の実施の形態１に係るコンテンツ再生装置の動作を示すフローチャートである。
【図７】本発明の実施の形態１に係るコンテンツ再生装置の他の動作を示すフローチャートである。
【図８】本発明の実施の形態１に係るコンテンツ再生装置の他の動作を示すフローチャートである。
【図９】本発明の実施の形態１に係るコンテンツ再生装置の他の動作を示すフローチャートである。
【図１０】本発明の実施の形態１に係る他のコンテンツ再生装置の要部を示す機能ブロック図である。
【図１１】本発明の実施の形態１に係る他のコンテンツ再生装置の要部を示す機能ブロック図である。
【図１２】本発明の実施の形態１に係る他のコンテンツ再生装置の要部を示す機能ブロック図である。
【発明を実施するための形態】
【００１５】
実施の形態１．
図１は、本発明の実施の形態１に係るコンテンツ再生装置の要部を示す機能ブロック図である。図２は、本発明の実施の形態１に係る予約受付画面の一例を示す説明図である。図３は、本発明の実施の形態１に係る予約案内画像の一例を示す説明図である。図４は、本発明の実施の形態１に係るコンテンツ再生装置の要部を示すハードウェア構成図である。図５は、本発明の実施の形態１に係るコンテンツ再生装置の要部を示す他のハードウェア構成図である。図１〜図５を参照して、実施の形態１のコンテンツ再生装置１００について、四輪自動車からなる車両１に搭載した例を中心に説明する。
【００１６】
ラジオ受信機２は、例えば、車両１に搭載された専用の受信機により構成されている。ラジオ受信機２は、ラジオ放送の放送波を受信して、この放送波に含まれる音声情報をコンテンツ再生装置１００に出力するものである。
【００１７】
光ディスクドライブ６は、例えば、車両１のダッシュボードに搭載された図示しない車載情報機器（以下、単に「車載情報機器」という。）に設けられている。光ディスクドライブ６は、光ディスクに記憶された音楽などの音声情報を読み出して、この音声情報をコンテンツ再生装置１００に出力するものである。
【００１８】
ラジオ受信機２及び光ディスクドライブ６により、ソース８が構成されている。
【００１９】
ソース８に含まれる個々の音声源は、音声情報に加えて、各々の音声情報に対応するコンテンツに関する情報（以下「コンテンツ情報」という。）をコンテンツ再生装置１００に出力するようになっている。例えば、ラジオ受信機２は、ラジオ放送における各放送局の放送局名、及び各放送局の周波数などを示すコンテンツ情報を出力する。光ディスクドライブ６は、光ディスクに記憶された各楽曲のトラック番号、及び各楽曲の再生時間などを示すコンテンツ情報を出力する。
【００２０】
表示装置１１は、例えば、車載情報機器に設けられたディスプレイ１２により構成されている。ディスプレイ１２は、例えば、液晶ディスプレイ又は有機ＥＬ（Ｅｌｅｃｔｒｏ−Ｌｕｍｉｎｅｓｃｅｎｃｅ）ディスプレイなどを用いたものである。音声出力装置１３は、例えば、車載情報機器に設けられたスピーカ１４により構成されている。操作入力装置１５は、例えば、ディスプレイ１２と一体に設けられたタッチパネル１６により構成されている。
【００２１】
シフトポジションセンサ１７は、車両１に搭載された図示しない変速機（以下、単に「変速機」という。）のシフトポジションを検出して、このシフトポジションを示す信号（以下「シフトポジション信号」という。）を出力するものである。電子制御ユニット（以下「ＥＣＵ」という。）１８は、シフトポジションセンサ１７から入力されたシフトポジション信号をコンテンツ再生装置１００に出力するものである。
【００２２】
音声再生部２１は、ソース８から入力された音声情報の内容、すなわち音声コンテンツを再生するものである。音声再生部２１は、再生した音声コンテンツに対応する音声を音声出力装置１３に出力させるものである。音声再生部２１により、コンテンツ再生部２３が構成されている。
【００２３】
コンテンツ選択部２４は、コンテンツ再生部２３により再生可能なコンテンツのうち、コンテンツ再生部２３による再生対象となるコンテンツを選択自在な画面（以下「選択画面」という。）を表示装置１１に表示させるものである。
【００２４】
例えば、コンテンツ再生部２３がラジオ受信機２から音声情報を取得可能である場合、選択画面とはラジオ放送の選局画面のことである。選局画面には、例えば、各放送局の放送局名、及び各放送局の周波数などが表示される。また、コンテンツ再生部２３が光ディスクドライブ６から音声情報を取得可能である場合、選択画面とは光ディスクに記憶された楽曲の選曲画面である。選曲画面には、例えば、光ディスクに記憶された各楽曲のトラック番号、及び各楽曲の再生時間などが表示される。
【００２５】
コンテンツ再生部２３は、表示装置１１に選択画面が表示された状態において、選択画面に表示されたコンテンツに対して、当該コンテンツを選択する操作が操作入力装置１５に入力されたとき、当該コンテンツの再生を開始するようになっている。
【００２６】
時刻出力部２５は、例えばタイマ回路により構成されており、現在時刻を計時するものである。時刻出力部２５は、現在時刻を示す情報（以下「時刻情報」という。）をコンテンツ再生部２３、予約受付部２６及び予約案内部２７に出力するものである。
【００２７】
予約受付部２６は、現在時刻以後の時刻（以下「第１時刻」という。）と、コンテンツ再生部２３が第１時刻にて再生開始予定のコンテンツ（以下「第１コンテンツ」という。）とを含む予約を受け付けるものである。すなわち、予約受付部２６は、当該予約を受け付ける画面（以下「予約受付画面」という。）の表示を指示する操作が操作入力装置１５に入力されたとき、予約受付画面を表示装置１１に表示させるものである。
【００２８】
図２に、予約受付画面の一例を示す。図２に示す予約受付画面は、ラジオ放送による音声コンテンツの予約を受け付ける画面である。
【００２９】
予約受付画面内の第１領域Ａには、第１コンテンツの再生開始予定時刻、すなわち第１時刻が表示されている。また、第１領域Ａには、第１コンテンツの再生終了予定時刻が表示されている。再生開始予定時刻（第１時刻）及び再生終了予定時刻は、操作入力装置１５の操作により変更自在である。
【００３０】
予約受付画面内の第２領域Ｂには、第１コンテンツに関するコンテンツ情報が表示されている。具体的には、当該放送局の放送局名、及び当該放送局の周波数が表示されている。第１コンテンツは、操作入力装置１５の操作により変更自在である。
【００３１】
予約受付画面内の第３領域Ｃには、第１領域Ａ及び第２領域Ｂに表示された内容にて予約を実行するか否かを決定するボタンＣ１，Ｃ２が表示されている。操作入力装置１５の操作によりボタンＣ１が押下された場合、予約受付部２６は、当該予約の内容をコンテンツ再生部２３及び予約案内部２７に通知する。他方、ボタンＣ２が押下された場合、予約受付部２６は、当該予約の内容をコンテンツ再生部２３及び予約案内部２７に通知することなく、予約受付画面を表示させる処理を終了する。
【００３２】
ここで、予約受付部２６は、表示装置１１に選択画面が表示された状態において、選択画面に表示されたコンテンツに対して、当該コンテンツを選択する操作と異なる所定の操作（以下「非選択操作」という。）が操作入力装置１５に入力されたとき、以下のように通常の予約受付画面と異なる予約受付画面を表示装置１１に表示させるようになっている。すなわち、このときの予約受付画面は、図２と同様の画面において、初期状態にて現在時刻と同じ時刻が再生開始予定時刻（第１時刻）に設定され、かつ、初期状態にて非選択操作が入力されたコンテンツが第１コンテンツに設定された画面である。また、当該予約受付画面において、再生開始予定時刻（第１時刻）及び再生終了予定時刻は操作入力装置１５の操作により変更自在であり、第１コンテンツも操作入力装置１５の操作により変更自在である。非選択操作は、例えば、いわゆる「長押し」の操作に設定されている。
【００３３】
予約案内部２７は、ＥＣＵ１８から取得したシフトポジション信号を用いて、変速機がパーキングレンジ（以下「Ｐレンジ」という。）に設定されているか否かを判定するものである。予約案内部２７は、現在時刻が第１時刻と第１時刻よりも所定時間前の時刻（以下「第２時刻」という。）との間の時刻である場合、変速機がＰレンジに設定されたとき、すなわちＰレンジ以外のレンジ（以下「他レンジ」という。）からＰレンジに切り替えられたとき、予約受付部２６から入力された予約の内容を示す画像（以下「予約案内画像」という。）を表示装置１１に表示させるものである。第１時刻と第２時刻間の所定時間は、例えば１時間に設定されている。
【００３４】
図３に、予約案内画像の一例を示す。表示装置１１の画面中央部に、矩形状の予約案内画像Ｄが表示されている。予約案内画像Ｄには、再生開始予定時刻（第１時刻）と、第１コンテンツに対応するソース８とを示すテキストが含まれている。予約案内画像Ｄは、いわゆる「ポップアップ」により表示されたものである。
【００３５】
ここで、コンテンツ再生部２３は、現在時刻が第１時刻と同じ時刻になったとき、第１コンテンツを既に再生中であるか否かを判定するとともに、第１コンテンツと異なるコンテンツ（以下「第２コンテンツ」という。）を再生中であるか否かを判定するようになっている。コンテンツ再生部２３は、第１時刻にて第１コンテンツを既に再生中である場合、第１コンテンツの再生を継続する。また、コンテンツ再生部２３は、第１時刻にて第１コンテンツを再生中でなく、かつ、第２コンテンツを再生中でない場合、第１コンテンツの再生を開始する。
【００３６】
コンテンツ再生部２３は、第１時刻にて第２コンテンツを再生中である場合、予め設定された時間（以下「重畳再生時間」という。）の間、第１コンテンツと第２コンテンツとが重畳されたコンテンツ（以下「重畳コンテンツ」という。）を再生するようになっている。例えば、第１コンテンツ及び第２コンテンツが音声コンテンツである場合、コンテンツ再生部２３は、第１コンテンツに対応する音声と、第２コンテンツに対応する音声との両音声を音声出力装置１３に出力させる。重畳再生時間は、例えば１０秒に設定されている。
【００３７】
重畳再生時間において、コンテンツ再生部２３は、重畳コンテンツにおける第２コンテンツの比率を時間経過により次第に小さくするようになっている。具体的には、例えば、コンテンツ再生部２３は、いわゆる「クロスフェード再生」を実行するようになっている。すなわち、第１コンテンツ及び第２コンテンツが音声コンテンツである場合、コンテンツ再生部２３は、第２コンテンツに対応する音声の音量を次第に小さくするとともに、第１コンテンツに対応する音声の音量を次第に大きくする。この結果、コンテンツ再生部２３は、重畳コンテンツの再生が終了するのと同時に、第１コンテンツのみの再生に移行するようになっている。
【００３８】
また、コンテンツ再生部２３は、予約受付部２６から入力された予約の内容に基づき、再生終了予定時刻にて第１コンテンツの再生を終了するようになっている。このとき、コンテンツ再生部２３は、第１時刻にて第２コンテンツを再生していた場合、第２コンテンツの再生を再開するようになっている。例えば、第２コンテンツがラジオ放送の音声コンテンツである場合、コンテンツ再生部２３は、第１時刻にて再生していた放送局と同じ放送局の音声コンテンツの再生を再開する。また、第２コンテンツが音楽の音声コンテンツであった場合、コンテンツ再生部２３は、第１時刻にて再生していた楽曲の冒頭から、又は当該楽曲のうちのクロスフェード再生が終了したときの箇所から再生を再開する。
【００３９】
コンテンツ再生部２３、コンテンツ選択部２４、時刻出力部２５、予約受付部２６及び予約案内部２７により、コンテンツ再生装置１００が構成されている。コンテンツ再生装置１００は、例えば、車載情報機器に設けられている。
【００４０】
図４に、コンテンツ再生装置１００のハードウェア構成の一例を示す。図４に示す如く、コンテンツ再生装置１００はコンピュータにより構成されており、プロセッサ３１及びメモリ３２を有している。メモリ３２には、当該コンピュータを図１に示すコンテンツ再生部２３、コンテンツ選択部２４、時刻出力部２５、予約受付部２６及び予約案内部２７として機能させるためのプログラムが記憶されている。メモリ３２に記憶されたプログラムをプロセッサ３１が読み出して実行することにより、図１に示すコンテンツ再生部２３、コンテンツ選択部２４、時刻出力部２５、予約受付部２６及び予約案内部２７の機能が実現される。
【００４１】
プロセッサ３１は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、マイクロコントローラ又はマイクロプロセッサなどにより構成されている。メモリ３２は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）若しくはＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などの半導体メモリ、又はＨＤＤ（Ｈａｒｄ  Ｄｉｓｋ  Ｄｒｉｖｅ）などの磁気記憶装置により構成されている。
【００４２】
図５に、コンテンツ再生装置１００のハードウェア構成の他の例を示す。図５に示す如く、コンテンツ再生装置１００は専用の処理回路３３により構成されている。処理回路３３は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）若しくはシステムＬＳＩ（Ｌａｒｇｅ−Ｓｃａｌｅ  Ｉｎｔｅｇｒａｔｉｏｎ）又はこれらを組み合わせたものである。
【００４３】
なお、図１に示すコンテンツ再生部２３、コンテンツ選択部２４、時刻出力部２５、予約受付部２６及び予約案内部２７の各部の機能それぞれを処理回路３３で実現しても良いし、各部の機能をまとめて処理回路３３で実現しても良い。また、図１に示すコンテンツ再生部２３、コンテンツ選択部２４、時刻出力部２５、予約受付部２６及び予約案内部２７のうちの一部の機能を図４に示すプロセッサ３１及びメモリ３２により実現し、残余の機能を図５に示す処理回路３３により実現したものでも良い。
【００４４】
次に、図６のフローチャートを参照して、コンテンツ再生装置１００の動作について、予約受付部２６の動作を中心に説明する。初期状態において、コンテンツ選択部２４は選択画面を表示装置１１に表示させている。
【００４５】
まず、ステップＳＴ１にて、予約受付部２６は、選択画面に表示されたコンテンツに対する非選択操作が操作入力装置１５に入力されたか否かを判定する。非選択操作が入力されたとき（ステップＳＴ１“ＹＥＳ”）、ステップＳＴ２にて、予約受付部２６は、時刻出力部２５から時刻情報を取得する。
【００４６】
次いで、ステップＳＴ３にて、予約受付部２６は、予約受付画面を表示装置１１に表示させる。このときの予約受付画面は、初期状態にて、ステップＳＴ１で非選択操作が入力されたコンテンツが第１コンテンツに設定されており、かつ、初期状態にて、ステップＳＴ３で取得した時刻情報の示す現在時刻と同じ時刻が第１時刻に設定されている。
【００４７】
ステップＳＴ３の後、操作入力装置１５の操作により、予約受付画面に表示された第１時刻及び第１コンテンツが適宜変更される。これにより、所望の第１時刻及び第１コンテンツが設定される。
【００４８】
次いで、ステップＳＴ４にて、予約受付部２６は、予約受付画面に表示された内容にて予約を実行するか否かを判定する。具体的には、例えば、予約受付部２６は、図２に例示する予約受付画面において、ボタンＣ１，Ｃ２のいずれが押下されたかを判定する。
【００４９】
予約を実行する場合（ステップＳＴ４“ＹＥＳ”）、すなわちボタンＣ１が押下された場合、ステップＳＴ５にて、予約受付部２６は、当該予約の内容をコンテンツ再生部２３及び予約案内部２７に通知する。次いで、ステップＳＴ６にて、予約受付部２６は、予約受付画面を表示装置１１に表示させる処理を終了する。これにより、表示装置１１の画面は選択画面に戻る。
【００５０】
他方、予約を実行しない場合（ステップＳＴ４“ＮＯ”）、すなわちボタンＣ２が押下された場合、予約受付部２６は、当該予約の内容をコンテンツ再生部２３及び予約案内部２７に通知することなくステップＳＴ６に進み、予約受付画面を表示装置１１に表示させる処理を終了する。
【００５１】
このように、実施の形態１のコンテンツ再生装置１００は、選択画面に表示されたコンテンツに対する非選択操作の入力により、第１コンテンツ及び第１時刻が予め設定された予約受付画面を自動で表示させる。これにより、選択画面から予約受付画面に遷移するまでの操作入力回数を低減して、ユーザの手間を軽減することができる。また、例えば、予約したい放送局の放送局名又は予約したい楽曲のトラック番号などをユーザ自身が把握していない場合であっても、選択画面に基づきスムーズな予約が可能となる。
【００５２】
次に、図７のフローチャートを参照して、コンテンツ再生装置１００の動作について、予約案内部２７の動作を中心に説明する。初期状態において、予約受付部２６は既に予約を受け付けており、予約案内部２７は当該予約の内容をメモリ３２などに記憶している。当該予約の内容には、少なくとも、第１時刻と、第１コンテンツに関するコンテンツ情報とが含まれている。
【００５３】
まず、ステップＳＴ１１にて、予約案内部２７は、ＥＣＵ１８からシフトポジション信号を取得する。次いで、ステップＳＴ１２にて、予約案内部２７は、ステップＳＴ１１で取得したシフトポジション信号を用いて、変速機がＰレンジに設定されたか否かを判定する。変速機が他レンジに設定されている場合（ステップＳＴ１２“ＮＯ”）、予約案内部２７はステップＳＴ１１に戻る。
【００５４】
他方、変速機がＰレンジに設定された場合（ステップＳＴ１２“ＹＥＳ”）、ステップＳＴ１３にて、予約案内部２７は、時刻出力部２５から時刻情報を取得する。次いで、ステップＳＴ１４にて、予約案内部２７は、ステップＳＴ１３で取得した時刻情報を用いて、現在時刻が第１時刻と第２時刻間の時刻であるか否かを判定する。
【００５５】
現在時刻が第１時刻と第２時刻間の時刻である場合（ステップＳＴ１４“ＹＥＳ”）、ステップＳＴ１５にて、予約案内部２７は、予約案内画像を表示装置１１に表示させる。
【００５６】
現在時刻が第１時刻と第２時刻間の時刻でない場合（ステップＳＴ１４“ＮＯ”）、又はステップＳＴ１５に次いで、ステップＳＴ１６にて、予約案内部２７は、ステップＳＴ１３で取得した時刻情報を用いて、現在時刻が第１時刻以後の時刻であるか否かを判定する。
【００５７】
現在時刻が第１時刻以後の時刻でない場合（ステップＳＴ１６“ＮＯ”）、予約案内部２７はステップＳＴ１１に戻る。このとき、表示装置１１に予約案内画像が表示されている場合、予約案内部２７は予約案内画像を表示させる処理を継続する。他方、現在時刻が第１時刻以後の時刻である場合（ステップＳＴ１６“ＹＥＳ”）、予約案内部２７は処理を終了する。
【００５８】
このように、実施の形態１のコンテンツ再生装置１００は、現在時刻が第１時刻と第２時刻間の時刻である場合、変速機がＰレンジに設定されたとき、予約案内画像を表示させる。これにより、例えば高速道路の走行中、第１時刻の直前に車両１がパーキングエリア又はサービスエリアに停車したときなどに予約案内画像が表示される。この結果、搭乗者が休憩等のために長時間に亘り車両から降車したことにより予約された第１コンテンツを視聴し逃すのを回避することができる。
【００５９】
次に、図８のフローチャートを参照して、コンテンツ再生装置１００の動作について、再生開始予定時刻（第１時刻）におけるコンテンツ再生部２３の動作を中心に説明する。初期状態において、予約受付部２６は既に予約を受け付けており、コンテンツ再生部２３は当該予約の内容をメモリ３２などに記憶している。当該予約の内容には、少なくとも、第１時刻と、第１コンテンツに関するコンテンツ情報とが含まれている。
【００６０】
まず、ステップＳＴ２１にて、コンテンツ再生部２３は、時刻出力部２５から時刻情報を取得する。次いで、ステップＳＴ２２にて、コンテンツ再生部２３は、ステップＳＴ２１で取得した時刻情報の示す現在時刻が第１時刻と同じ時刻であるか否かを判定する。現在時刻が第１時刻と異なる時刻である場合（ステップＳＴ２２“ＮＯ”）、コンテンツ再生部２３はステップＳＴ２１に戻る。
【００６１】
他方、現在時刻が第１時刻と同じ時刻である場合（ステップＳＴ２２“ＹＥＳ”）、ステップＳＴ２３にて、コンテンツ再生部２３は、第１コンテンツを既に再生中であるか否かを判定する。例えば、第１時刻以前の時刻において、ユーザが操作入力装置１５の操作により手動で第１コンテンツの再生を開始していた場合、第１時刻にてコンテンツ再生部２３は第１コンテンツを既に再生中である。このような場合（ステップＳＴ２３“ＹＥＳ”）、コンテンツ再生部２３はステップＳＴ２９に進み、第１コンテンツの再生を継続する。
【００６２】
第１コンテンツを再生中でない場合（ステップＳＴ２３“ＮＯ”）、ステップＳＴ２４にて、コンテンツ再生部２３は、第１コンテンツと異なる第２コンテンツを再生中であるか否かを判定する。第２コンテンツを再生中でない場合（ステップＳＴ２４“ＮＯ”）、ステップＳＴ２５にて、コンテンツ再生部２３は第１コンテンツの再生を開始する。次いで、コンテンツ再生部２３はステップＳＴ２９に進み、第１コンテンツの再生を継続する。
【００６３】
第２コンテンツを再生中である場合（ステップＳＴ２４“ＹＥＳ”）、ステップＳＴ２６にて、コンテンツ再生部２３は、第１コンテンツと第２コンテンツとが重畳された重畳コンテンツの再生を開始する。コンテンツ再生部２３は、予め設定された重畳再生時間の間、重畳コンテンツの再生を継続する。
【００６４】
重畳再生時間において、コンテンツ再生部２３は、重畳コンテンツにおける第２コンテンツの比率を時間経過により次第に小さくする（ステップＳＴ２７）。これにより、重畳コンテンツの再生が終了したとき、コンテンツ再生部２３は、第１コンテンツのみを再生する状態に移行する（ステップＳＴ２８）。次いで、コンテンツ再生部２３はステップＳＴ２９に進み、第１コンテンツの再生を継続する。
【００６５】
従来、音声コンテンツ用のコンテンツ再生装置において、再生対象を第２コンテンツから第１コンテンツに切り替えるとき、まず、第２コンテンツの音量を次第に小さくして、第２コンテンツの音量を零にした後、第１コンテンツの再生を開始して、第１コンテンツの音量を次第に大きくするものが知られている。この場合、音声コンテンツの切替えによりユーザが感じる違和感を軽減することができる一方、第１コンテンツと第２コンテンツとが互いに類似する場合（例えば、両コンテンツがいずれもラジオ放送によるニュース番組である場合）などに、ユーザがコンテンツの切替えに気付かず、第１コンテンツを聴き逃してしまう問題があった。
【００６６】
これに対して、実施の形態１のコンテンツ再生装置１００は、重畳再生時間において重畳コンテンツを再生するとともに、クロスフェード再生により第２コンテンツの比率を次第に小さくする。これにより、切替えによりユーザが覚える違和感を軽減しつつ、ユーザが切替えに気付きやすくすることができる。
【００６７】
次に、図９のフローチャートを参照して、コンテンツ再生装置１００の動作について、再生終了予定時刻におけるコンテンツ再生部２３の動作を中心に説明する。初期状態において、コンテンツ再生部２３は第１コンテンツを再生中である。メモリ３２などには予約の内容が記憶されており、当該予約の内容には再生終了予定時刻が含まれている。また、メモリ３２などには、第１時刻にてコンテンツ再生部２３が第２コンテンツを再生していたか否かを示す情報が記憶されている。
【００６８】
まず、ステップＳＴ３１にて、コンテンツ再生部２３は、時刻出力部２５から時刻情報を取得する。次いで、ステップＳＴ３２にて、コンテンツ再生部２３は、ステップＳＴ３１で取得した時刻情報の示す現在時刻が再生終了予定時刻と同じ時刻であるか否かを判定する。現在時刻が再生終了予定時刻と異なる時刻である場合（ステップＳＴ３２“ＮＯ”）、ステップＳＴ３３にて、コンテンツ再生部２３は第１コンテンツの再生を継続する。
【００６９】
他方、現在時刻が再生終了予定時刻と同じ時刻である場合（ステップＳＴ３２“ＹＥＳ”）、ステップＳＴ３４にて、コンテンツ再生部２３は第１コンテンツの再生を終了する。次いで、ステップＳＴ３５にて、コンテンツ再生部２３は、第１時刻にて第２コンテンツを再生していたか否かを判定する。第１時刻にて第２コンテンツを再生していた場合（ステップＳＴ３５“ＹＥＳ”）、ステップＳＴ３６にて、コンテンツ再生部２３は第２コンテンツの再生を再開する。
【００７０】
このように、実施の形態１のコンテンツ再生装置１００は、第１時刻にて第２コンテンツを再生していた場合、第１コンテンツの再生が終了したとき、第２コンテンツの再生を自動で再開する。これにより、第２コンテンツの再生を再開する操作を不要として、ユーザの手間を軽減することができる。
【００７１】
なお、ソース８は、ラジオ受信機２及び光ディスクドライブ６に限定されるものではなく、そのほかの音声源を含むものであっても良い。この場合の機能ブロック図を図１０に示す。
【００７２】
携帯音楽プレーヤ４は、例えば、車両１の搭乗者により車両１に持ち込まれたものである。携帯音楽プレーヤ４は、音楽などの音声情報を記憶自在であり、この音声情報をコンテンツ再生装置１００に出力するものである。
【００７３】
携帯情報端末５は、例えば、車両１の搭乗者により車両１に持ち込まれたスマートフォン又はタブレットコンピュータなどにより構成されている。携帯情報端末５は、音楽などの音声情報を記憶自在であり、この音声情報をコンテンツ再生装置１００に出力するものである。
【００７４】
メモリーカードリーダ７は、例えば、車載情報機器に設けられている。メモリーカードリーダ７は、メモリーカードに記憶された音楽などの音声情報を読み出して、この音声情報をコンテンツ再生装置１００に出力するものである。
【００７５】
ラジオ受信機２、携帯音楽プレーヤ４、携帯情報端末５、光ディスクドライブ６及びメモリーカードリーダ７により、ソース８が構成されている。ソース８に含まれる個々の音声源は、音声情報に加えて、各々の音声情報に対応するコンテンツに関するコンテンツ情報をコンテンツ再生装置１００に出力するようになっている。
【００７６】
また、ソース８は、音声源に代えて映像源を含むものであっても良い。コンテンツ再生部２３は、音声コンテンツに代えて映像コンテンツを再生するものであっても良い。この場合の機能ブロック図を図１１に示す。
【００７７】
テレビジョン受信機３は、例えば、車両１に搭載された専用の受信機により構成されている。テレビジョン受信機３は、テレビジョン放送の放送波を受信して、この放送波に含まれる映像情報をコンテンツ再生装置１００に出力するものである。
【００７８】
携帯情報端末５は、映画などの映像情報を記憶自在であり、この映像情報をコンテンツ再生装置１００に出力するようになっている。光ディスクドライブ６は、光ディスクに記憶された映画などの映像情報を読み出して、この映像情報をコンテンツ再生装置１００に出力するようになっている。メモリーカードリーダ７は、メモリーカードに記憶された映画などの映像情報を読み出して、この映像情報をコンテンツ再生装置１００に出力するようになっている。
【００７９】
テレビジョン受信機３、携帯情報端末５、光ディスクドライブ６及びメモリーカードリーダ７により、ソース８が構成されている。ソース８に含まれる個々の映像源は、映像情報に加えて、各々の映像情報に対応するコンテンツに関するコンテンツ情報をコンテンツ再生装置１００に出力するようになっている。
【００８０】
映像再生部２２は、ソース８から入力された映像情報の内容、すなわち映像コンテンツを再生するものである。映像再生部２２は、再生した映像コンテンツに対応する映像を表示装置１１に表示させるものである。映像再生部２２により、コンテンツ再生部２３が構成されている。
【００８１】
第１コンテンツ及び第２コンテンツが映像コンテンツである場合、重畳再生時間におけるクロスフェード再生は、例えば映像の透明度を変化させるものとなる。すなわち、コンテンツ再生部２３は、重畳再生時間において、第１コンテンツに対応する映像と第２コンテンツに対応する映像とを重畳してなる映像を表示装置１１に表示させる。このとき、コンテンツ再生部２３は、第２コンテンツに対応する映像の透明度を次第に高くするとともに、第１コンテンツに対応する映像の透明度を次第に低くする。
【００８２】
また、ソース８は、音声源及び映像源を含むものであっても良い。コンテンツ再生部２３は、音声コンテンツ及び映像コンテンツを再生するものであっても良い。この場合の機能ブロック図を図１２に示す。図１２に示す如く、ラジオ受信機２、テレビジョン受信機３、携帯音楽プレーヤ４、携帯情報端末５、光ディスクドライブ６及びメモリーカードリーダ７により、ソース８が構成されている。音声再生部２１及び映像再生部２２により、コンテンツ再生部２３が構成されている。
【００８３】
また、時刻出力部２５は、時刻情報を出力するものであればよく、タイマ回路に限定されるものでない。例えば、時刻出力部２５は、携帯情報端末５などから時刻情報を取得して、この時刻情報をコンテンツ再生部２３、予約受付部２６及び予約案内部２７に出力するものであっても良い。
【００８４】
また、コンテンツ再生装置１００は、車載情報機器に代えて携帯情報端末５に設けられたものであっても良い。この場合、携帯情報端末５は、ＥＣＵ１８などからシフトポジション信号を取得する機能を有する。また、表示装置１１は携帯情報端末５のディスプレイを用いたものであっても良く、音声出力装置１３は携帯情報端末５のスピーカを用いたものであっても良く、操作入力装置１５は携帯情報端末５のタッチパネルを用いたものであっても良い。光ディスクドライブ６は外付けのドライブを用いたものであっても良く、メモリーカードリーダ７は外付けのリーダを用いたものであっても良い。
【００８５】
同様に、コンテンツ再生装置１００は、車載情報機器に代えて、携帯情報端末５と異なる他の携帯情報端末、例えばＰＮＤ（Ｐｏｒｔａｂｌｅ  Ｎａｖｉｇａｔｉｏｎ  Ｄｅｖｉｃｅ）に設けられたものであっても良い。または、コンテンツ再生装置１００は、車両１の外部に設けられており、かつ、車載情報機器、携帯情報端末５又は他の携帯情報端末と通信自在なサーバ装置に設けられたものであっても良い。
【００８６】
または、コンテンツ再生装置１００は、コンテンツ再生部２３、コンテンツ選択部２４、時刻出力部２５、予約受付部２６及び予約案内部２７のうちの一部の機能が車載情報機器に設けられたコンピュータ又は処理回路３３により実現され、残余の機能が携帯情報端末５又は他の携帯情報端末に設けられたコンピュータ又は処理回路３３により実現されるものであっても良い。
【００８７】
または、コンテンツ再生装置１００は、コンテンツ再生部２３、コンテンツ選択部２４、時刻出力部２５、予約受付部２６及び予約案内部２７のうちの一部の機能が車載情報機器、携帯情報端末５又は他の携帯情報端末に設けられたコンピュータ又は処理回路３３により実現され、残余の機能がサーバ装置に設けられたコンピュータ又は処理回路３３により実現されるものであっても良い。
【００８８】
すなわち、コンテンツ再生装置１００の各機能ブロックは、車両１用のコンピュータ又は処理回路３３であれば、如何なる場所にあるコンピュータ又は処理回路３３によりそれぞれ実現されるものであっても良い。
【００８９】
また、ソース８は、音声情報又は映像情報のうちの少なくとも一方をコンテンツ再生装置１００に出力するものであれば良く、ラジオ受信機２、テレビジョン受信機３、携帯音楽プレーヤ４、携帯情報端末５、光ディスクドライブ６及びメモリーカードリーダ７に限定されるものではない。ソース８は、これらのうちの一部の音声源又は映像源のみにより構成されたものであっても良く、又はそのほかの音声源又は映像源により構成されたものであっても良い。
【００９０】
また、第１時刻と第２時刻間の所定時間は、１時間に限定されるものではない。この所定時間は、コンテンツ再生装置１００の製造時に予め設定されたものであっても良く、又は操作入力装置１５の操作によりユーザが設定したものであっても良い。この所定時間は、長距離運転中の休憩により第１コンテンツを視聴し逃すのをより確実に回避する観点から、例えば高速道路走行中のパーキングエリア又はサービスエリアなどにおける休憩時間を考慮した値に設定するのが好適である。
【００９１】
また、重畳再生時間は、ユーザが第２コンテンツから第１コンテンツへの切替えに気付く程度に長い時間であれば良く、１０秒に限定されるものではない。
【００９２】
また、非選択操作は、選択画面に表示されたコンテンツを選択する操作と異なる操作であれば良く、長押し操作に限定されるものではない。例えば、選択画面において各コンテンツに対応する専用のボタンを表示させて、このボタンの押下により予約受付画面に遷移するものであっても良い。
【００９３】
また、予約案内部２７は、図７のステップＳＴ１５にて予約案内画像を表示装置１１に表示させるのに代えて、予約の内容を示す音声（以下「予約案内音声」という。）を音声出力装置１３に出力させるものであっても良い。また、予約案内部２７は、予約案内画像を表示装置１１に表示させるとともに、予約案内音声を音声出力装置１３に出力させるものであっても良い。
【００９４】
以上のように、実施の形態１のコンテンツ再生装置１００は、車両１用のコンテンツ再生装置１００であって、音声情報又は映像情報のうちの少なくとも一方のコンテンツを再生するコンテンツ再生部２３と、現在時刻を示す情報を出力する時刻出力部２５と、現在時刻以後の第１時刻と、第１時刻にてコンテンツ再生部２３が再生開始予定の第１コンテンツとを含む予約を受け付ける予約受付部２６と、現在時刻が第１時刻と第１時刻よりも前の第２時刻との間の時刻である場合、車両１に設けられた変速機がＰレンジに設定されたとき、予約の内容を示す予約案内画像を表示装置１１に表示させる処理、又は予約の内容を示す予約案内音声を音声出力装置１３に出力させる処理を実行する予約案内部２７とを備える。これにより、搭乗者が休憩等のために長時間に亘り車両１から降車したことにより予約された第１コンテンツを視聴し逃すのを回避することができる。
【００９５】
また、コンテンツ再生装置１００は、コンテンツ再生部２３による再生対象となるコンテンツを選択自在な選択画面を表示装置１１に表示させるコンテンツ選択部２４を備え、予約受付部２６は、選択画面に表示されたコンテンツに対して、当該コンテンツを選択する操作と異なる非選択操作が操作入力装置１５に入力されたとき、初期状態にて当該コンテンツが第１コンテンツに設定され、かつ、初期状態にて現在時刻と同じ時刻が第１時刻に設定された予約受付画面を表示装置１１に表示させる。これにより、選択画面から予約受付画面に遷移するまでの操作入力回数を低減して、ユーザの手間を軽減することができる。また、例えば、予約したい放送局の放送局名又は予約したい楽曲のトラック番号などをユーザ自身が把握していない場合であっても、選択画面に基づきスムーズな予約を行うことができる。
【００９６】
また、コンテンツ再生部２３は、第１時刻にて第１コンテンツと異なる第２コンテンツを再生中である場合、第１コンテンツと第２コンテンツとが重畳された重畳コンテンツの再生を開始する。これにより、第１コンテンツと第２コンテンツとが互いに類似する場合であっても、ユーザがコンテンツの切替えに気付きやすくすることができる。
【００９７】
また、コンテンツ再生部２３は、重畳コンテンツの再生中、重畳コンテンツにおける第２コンテンツの比率を次第に小さくする。これにより、上記のようにコンテンツの切替えを気付きやすくしつつ、切替えによりユーザが感じする違和感を軽減することができる。
【００９８】
また、コンテンツ再生部２３は、第１コンテンツの再生が終了したとき、第２コンテンツの再生を再開する。これにより、第２コンテンツの再生を再開する操作を不要として、ユーザの手間を軽減することができる。
【００９９】
また、コンテンツ再生部２３は、音声情報のコンテンツを再生するものである。すなわち、実施の形態１のコンテンツ再生装置１００は、いわゆる「カーオーディオ装置」に適用することができる。これにより、ラジオ放送などの音声コンテンツを聴き逃すのを回避することができる。
【０１００】
また、コンテンツ再生装置１００は、車両１に搭載される車載情報機器、車両１に持ち込まれる携帯情報端末、又は車載情報機器若しくは携帯情報端末と通信自在なサーバ装置により構成されている。コンテンツ再生装置１００は、車両１用のコンピュータ又は処理回路３３であれば、如何なる場所にあるコンピュータ又は処理回路３３により実現されるものであっても良い。
【０１０１】
また、本発明のプログラムは、車両１用のコンピュータを、音声情報又は映像情報のうちの少なくとも一方のコンテンツを再生するコンテンツ再生部２３と、現在時刻を示す情報を出力する時刻出力部２５と、現在時刻以後の第１時刻と、第１時刻にてコンテンツ再生部２３が再生開始予定の第１コンテンツとを含む予約を受け付ける予約受付部２６と、現在時刻が第１時刻と第１時刻よりも前の第２時刻との間の時刻である場合、車両１に設けられた変速機がＰレンジに設定されたとき、予約の内容を示す予約案内画像を表示装置１１に表示させる処理、又は予約の内容を示す予約案内音声を音声出力装置１３に出力させる処理を実行する予約案内部２７と、として機能させるものである。これにより、上記コンテンツ再生装置１００を実現することができる。
【０１０２】
また、本発明の予約案内方法は、音声情報又は映像情報のうちの少なくとも一方のコンテンツを再生する車両１用のコンテンツ再生装置１００による予約案内方法であって、時刻出力部２５が、現在時刻を示す情報を出力するステップ（ステップＳＴ２，ＳＴ１３）と、予約受付部２６が、現在時刻以後の第１時刻と、第１時刻にて再生開始予定の第１コンテンツとを含む予約を受け付けるステップ（ステップＳＴ３，ＳＴ４）と、予約案内部２７が、現在時刻が第１時刻と第１時刻よりも前の第２時刻との間の時刻である場合、車両１に設けられた変速機がＰレンジに設定されたとき、予約の内容を示す予約案内画面を表示装置１１に表示させる処理、又は予約の内容を示す予約案内音声を音声出力装置１３に出力させる処理を実行するステップ（ステップＳＴ１５）とを備える。これにより、搭乗者が休憩等のために長時間に亘り車両１から降車したことにより予約された第１コンテンツを視聴し逃すのを回避することができる。
【０１０３】
なお、本願発明はその発明の範囲内において、実施の形態の任意の構成要素の変形、もしくは実施の形態の任意の構成要素の省略が可能である。
【符号の説明】
【０１０４】
１  車両、２  ラジオ受信機、３  テレビジョン受信機、４  携帯音楽プレーヤ、５  携帯情報端末、６  光ディスクドライブ、７  メモリーカードリーダ、８  ソース、１１  表示装置、１２  ディスプレイ、１３  音声出力装置、１４  スピーカ、１５  操作入力装置、１６  タッチパネル、１７  シフトポジションセンサ、１８  ＥＣＵ、２１  音声再生部、２２  映像再生部、２３  コンテンツ再生部、２４  コンテンツ選択部、２５  時刻出力部、２６  予約受付部、２７  予約案内部、３１  プロセッサ、３２  メモリ、３３  処理回路、１００  コンテンツ再生装置。
【図１】
2017217998.tif 000003
【図２】
2017217998.tif 000004
【図３】
2017217998.tif 000005
【図４】
2017217998.tif 000006
【図５】
2017217998.tif 000007
【図６】
2017217998.tif 000008
【図７】
2017217998.tif 000009
【図８】
2017217998.tif 000010
【図９】
2017217998.tif 000011
【図１０】
2017217998.tif 000012
【図１１】
2017217998.tif 000013
【図１２】
2017217998.tif 000014